(57)【要約】【課題】透光性を確実に確保できるとともに、金属調を強調しつつより変化のある外観を実現でき、かつ金属調の表示部材を容易に加工できる時計を提供すること。【解決手段】ソーラ発電層３を備えた時計の文字板２において、表裏を貫通する多数の貫通部１０を穿設し、この貫通部１０を文字板２の表裏方向に対して傾斜させた。従って、貫通部１０を有することで透光性を確保でき、また、貫通部１０を傾斜させることで、文字板２の見る方向によっては、金属調を呈した側壁傾斜面１０Ａの見える面積を変化させることができ、装飾性に変化を持たせることができる。さらに、貫通部１０は文字板２に貫通孔を設けるだけで得られるため、加工を容易にできる。【選択図】図３
2007170825.tif 000002
【特許請求の範囲】
【請求項１】
時刻表示用で金属調の表示部材を備え、
前記表示部材には表裏を貫通する多数の貫通部が穿設され、
前記貫通部の貫通方向は、前記表示部材の表裏方向に対して傾斜し、
前記貫通部には側壁傾斜面が形成されている
ことを特徴とする時計。
【請求項２】
請求項１に記載の時計において、
前記表示部材を表面側から平面視した場合に、前記表示部材に穿設された貫通部の表面側の開口部分から視認される裏面側の開口部分の面積は、前記表面側の開口部分での開口面積に対して５０％以下である
ことを特徴とする時計。
【請求項３】
請求項１または請求項２に記載の時計において、
前記貫通部は、前記表示部材を表面側から平面視した場合に、前記側面傾斜面のみが視認される程度に傾斜している
ことを特徴とする時計。
【請求項４】
請求項１ないし請求項３のいずれかに記載の時計において、
前記貫通部の側壁傾斜面は、前記表示部材の裏面側から表面側に向かうに従って、６時側から１２時側に向けて傾斜している
ことを特徴とする時計。
【請求項５】
請求項１ないし請求項３のいずれかに記載の時計において、
前記表示部材の少なくとも３時側の略半分の領域での前記貫通部の側壁傾斜面は、前記表示部材の裏面側から表面側に向かうに従って、９時側から３時側に向けて傾斜している
ことを特徴とする時計。
【請求項６】
請求項１ないし請求項４のいずれかに記載の時計において、
前記表示部材の少なくとも９時側の略半分の領域での前記貫通部の側壁傾斜面は、前記表示部材の裏面側から表面側に向かうに従って、３時側から９時側に向けて傾斜している
ことを特徴とする時計。
【請求項７】
請求項１ないし請求項６のいずれかに記載の時計において、
前記表示部材は、裏面側の透光性を有するベース部材と、ベース部材上に形成された金属薄膜とを備え、この金属薄膜に前記貫通部が設けられている
ことを特徴とする時計。
【請求項８】
請求項１ないし請求項７のいずれかに記載の時計において、
前記表示部材の裏面側には、ソーラ発電部または発光部が配置されている
ことを特徴とする時計。
【請求項９】
請求項１ないし請求項８のいずれかに記載の時計において、
金属製の外装ケースおよび金属製の裏蓋部分を備えているとともに、
前記外装ケース内には電波受信用のアンテナが収容され、
このアンテナは前記裏蓋よりも前記表示部材の裏面側に寄せて配置されている
ことを特徴とする時計。
【請求項１０】
請求項１ないし請求項８のいずれかに記載の時計において、
金属製の外装ケースおよび非金属製の裏蓋部分を備えているとともに、
前記外装ケース内には電波受信用のアンテナが収容され、
このアンテナは前記表示部材の裏面よりも前記裏蓋部分側に寄せて配置されている
ことを特徴とする時計。
【発明の詳細な説明】
【技術分野】
【０００１】
本発明は、時計に係り、例えばソーラ発電時計、電波時計、ソーラ発電装置付き電波時計、バックライト付き電子時計といった各種時計の表示部材に関する。
【背景技術】
【０００２】
近年、省エネルギ化の促進および電池交換不要といったメリットがあることから、ソーラ発電装置を備えた電子時計の普及が目覚ましい。このようなソーラ発電時計では、表示部材としての文字板の裏側にソーラ発電部が配置されており、透光性を有した文字板を採用することで、光が文字板を通してソーラ発電部に照射され、運針等に必要な電気エネルギが発電されるようになっている。
【０００３】
ところで、透光性を有した文字板では、透明なガラス板や樹脂板が用いられることが多い。このため、文字板としては、特に金属を基調としたデザインに仕上げることが困難であり、外観上のデザインに制限があるなど、装飾性に欠けるという問題があった。
【０００４】
そこで、金属を基調としたデザインを採用しつつ透光性を持たせる技術として、金属製の文字板に多数の貫通孔を穿設することが提案されている（特許文献１）。この提案によれば、貫通孔を通して光が透過するため、文字板裏のソーラ発電部に光を照射させたり、文字板の裏側に配置されたＥＬ（electro luminescence ：エレクトロルミネセンス）バックライト等の発光部からの光を文字板側に出射させて、夜間あるいは暗闇内で時刻を読み取ったりすることが可能である。
【０００５】
また、特許文献１には、貫通孔の奥側（文字板の裏面寄り）に目隠し壁なる部位を設けることにより、貫通孔から文字板裏のソーラ発電部や発光部を見え難くし、金属部分をより多く見せることで金属調を強調させることも開示されている（特許文献１の図７、図８）。
【０００６】
【特許文献１】特開平１０−７８４８６号公報
【発明の開示】
【発明が解決しようとする課題】
【０００７】
しかしながら、前記特許文献１においては、貫通孔の奥側に目隠し壁を設けることで、より金属調を強調させているが、このような構造では、単に文字板裏のソーラ発電部や発光部を見え難くして金属調を強調させているだけであるため、外観に変化を持たせて装飾性をより向上させることはできなかった。
また、目隠し壁を有することで構造が複雑になるため、文字板の加工に手間がかかるという問題もある。
【０００８】
本発明の目的は、金属調を強調しつつより変化のある外観を実現でき、かつ金属調の表示部材を容易に加工できる時計を提供することにある。
【課題を解決するための手段】
【０００９】
本発明の時計は、時刻表示用で金属調の表示部材を備え、前記表示部材には表裏を貫通する多数の貫通部が穿設され、前記貫通部の貫通方向は、前記表示部材の表裏方向に対して傾斜し、前記貫通部には側壁傾斜面が形成されていることを特徴とする。
このような本発明によれば、貫通部の貫通方向が表裏方向に対して傾斜しているので、表示部材を見る方向によっては、金属調を呈する貫通部内側面の側壁傾斜面が見えることになって、表示部材の装飾性を高めることができる。すなわち、金属調の側壁傾斜面が見えることで、表示部材の表面部分などと併せて、金属調を呈するの部分の視認可能な外観領域が増加し、金属製の表示部材と比べても遜色ない外観を得ることも可能となる。また、表示部材を見る方向により前記側壁傾斜面の視認可能な面積が変わるため、見方によって金属調の度合いを変化させることができ、装飾変化のおもしろさをもたらすことができる。
この際、表示部材に多数の貫通部を設けるので、この貫通部を通して表示部材裏のソーラ発電部に光を透過したり、ＥＬバックライト等の発光部から光を射出させたりでき、表示部材が金属調であっても発電機能あるいは照明機能を確実に実現できる。
加えて、表示部材の貫通部を通して電波の透過が可能となるから、内方に配置されたアンテナによって電波を感度よく受信でき、時刻修正用の電波を受信するような電波時計にも、本発明を好適に用いることができる。
しかも、表示部材には貫通部を設けるだけでよいので、加工性に優れており、加工に手間がかからない。
なお、ここでの「金属調」とは、表示部材全体が金属製である場合に得ることができる他、非金属から形成された表示部材の表面に金属メッキ等を施して金属薄膜を形成したり、金属薄膜板等を貼設することで得ることができる。そして、前記貫通部は、前記金属製表示部材全体や、金属薄膜および金属薄膜板に形成されることになる。
また、「表裏方向」とは、表示部材の表面に対して鉛直な方向であって、厚み方向のことであり、指針付きの時計であれば、指針取付軸の軸線方向を指す。
なお、「前記貫通部の貫通方向」とは、側面視で貫通部の中心軸線の方向とする。貫通部の断面形状が真円でなく非円形の場合は、非円形形状の略重心位置と見なす箇所を通る軸線の方向とする。中心軸線は、直線が好ましいが、略直線状であってもよい。貫通方向が略直線であることにより、側壁傾斜面の視認可能な面積の変化が少なく外観状態が安定し、光が透過し易くなる。
【００１０】
本発明の時計では、前記表示部材を表面側から平面視した場合に、前記表示部材に穿設された貫通部の表面側の開口部分から視認される裏面側の開口部分の面積は、前記表面側の開口部分での開口面積に対して５０％以下であることが望ましい。
５０％を越えると、裏面側に配置された部材が見え易くなり、金属調が損なわれる。金属調が損なわれないために、より好ましくは４０％以下、さらに好ましくは３０％以下、一層好ましくは２０％以下というように、０％に近づけることが好ましい。ただし、光の透過性からは０％に近づけるよりはむしろ、５０％に近づけることが好ましい。従って、開口面積の割合は、装飾性および光の透光性の両方を勘案し、目的に応じた値を選定すればよく、一般的には５０〜１０％が好適であり、より好ましくは４０〜２０％である。
ここで、「平面視」とは、表示部材を表面側から見た場合であって、その表面に対して鉛直な方向から見た場合のことである。「側面視」とは、上記平面視方向の直交方向である側面方向から見た場合をいい、また、当該直交方向に沿って断面した際の側面方向から見た場合を含む。
【００１１】
本発明の時計では、前記貫通部は、前記表示部材を表面側から平面視した場合に、前記側面傾斜面のみが視認される程度に傾斜していることが望ましい。
本発明では、貫通部裏の部材がより見え難くなるうえ、開口部分内には金属調を呈した側壁傾斜面が多く見えるようになり、金属調を一層強調できる。
【００１２】
本発明の時計では、前記貫通部の側壁傾斜面は、前記表示部材の裏面側から表面側に向かうに従って、６時側から１２時側に向けて傾斜していることを特徴とする。
時計を装着した状態で時刻を確認する場合、装着者の目から近い側に時計の６時側が位置し、遠い側に１２時側が位置するので、上記のように傾斜した貫通部によれば、装着者からは貫通部を通して裏面側の部材が見え難くなり、側壁傾斜面が見えることになってさらに金属調を強調させることが可能である。
【００１３】
本発明の時計では、前記表示部材の少なくとも３時側の略半分の領域において、前記貫通部の側壁傾斜面は、前記表示部材の裏面側から表面側に向かうに従って、９時側から３時側に向けて傾斜していることを特徴とする。
本発明の時計では、前記表示部材の少なくとも９時側の略半分の領域において、前記貫通部の側壁傾斜面は、前記表示部材の裏面側から表面側に向かうに従って、３時側から９時側に向けて傾斜していることを特徴とする。
ここで、「半分」とは、例えば指針表示式の時計にあっては、指針の回転中心を通る線、つまり１２時および６時を結ぶ仮想線を基準として３時側の領域または９時側の領域をいう。
また、略半分の「略」とは、前記の基準となる仮想線が、指針の回転中心を正確に通る場合に限らず、回転中心から３時側または９時側に多少ずれている場合も含むことを意味する。具体的には、表示部材において、指針の回転中心を通る３時および９時方向の全長の１／６以内のずれであれば、本発明に含まれる。
さらに、「少なくとも」とは、前記略半分の領域において、貫通部の側壁傾斜面が各発明のように傾斜していればよく、その他の領域を含む全領域で同様に傾斜していてもよいし、その他の領域では異なる任意の方向に傾斜していてもよいことを意味する。
時計を左腕に装着した場合には、時計の９時側が袖口に隠れ易くなるために、３時側の領域が多く露出し、反対に右腕に装着した場合には、時計の３時側が袖口に隠れ易くなるために、９時側の領域が多く露出する。このような状況で、３時側または９時側の半分の領域において、上記のような傾斜方向の貫通部を設ければ、袖口から露出した領域から採光し易くできるという効果がある。
【００１４】
本発明の時計では、前記表示部材は、裏面側の透光性を有するベース部材と、ベース部材上に形成された金属薄膜とを備え、この金属薄膜に前記貫通部が設けられていることを特徴とする。
このような本発明では、金属層を金属薄膜により形成することで、電波の通りを良好にできるため、例えば内部に時刻修正用の電波を受信可能なアンテナが搭載された電波時計の場合には、アンテナによる電波の受信感度を向上させることができ、好都合である。
【００１５】
本発明の時計では、前記表示部材の裏面側にソーラ発電部または発光部が配置されていることが望ましく、表示部材の貫通部を通してソーラ発電部に光を照射させることにより、電子時計駆動用の電力を発電したり、ＥＬバックライト等の発光部から光を表示板表面側に射出することで、夜間や暗闇等で表示部材を照らして視認性を向上させたりできる。
【００１６】
本発明の時計では、金属製の外装ケースおよび金属製の裏蓋部分を備えているとともに、前記外装ケース内には電波受信用のアンテナが収容され、このアンテナは前記裏蓋よりも前記表示部材の裏面側に寄せて配置されていることが望ましい。
ここで、「前記裏蓋よりも前記表示部材の裏面側に寄せて」とあるのは、時計の厚み方向に沿った断面の側面視において、アンテナコアの中心位置から表示部材の裏面までの距離の方が、裏蓋部分の内面までの距離よりも短いことを指す。
外装ケースおよび裏蓋部分が金属製である場合、アンテナを裏蓋側に寄せて配置したのでは、電波を受信し難くなる可能性があるが、表示部材側に寄せて配置すれば、この表示部材に穿設された貫通部を通して電波を容易に受信でき、受信感度を向上させることができる。
【００１７】
本発明の時計では、金属製の外装ケースおよび非金属製の裏蓋部分を備えているとともに、前記外装ケース内には電波受信用のアンテナが収容され、このアンテナは前記表示部材の裏面よりも前記裏蓋部分側に寄せて配置されていることが望ましい。
ここで、「前記表示部材の裏面よりも前記裏蓋部分側に寄せて」とあるのは、時計の厚み方向に沿った断面の側面視において、アンテナコアの中心位置から裏蓋部分の内面までの距離の方が、表示部材の裏面までの距離よりも短いことを指す。
裏蓋部分が合成樹脂製やガラスといった非金属製である場合には、先程とは逆に、この裏蓋部分寄りにアンテナを配置することで、この裏蓋部分を通して電波を良好に受信できるようになる。
【発明の効果】
【００１８】
本発明によれば、貫通部が傾斜していることにより、表示部材裏の部品を見え難くして金属調を強調させることができるし、表示部材を見る方向によっては、金属調の度合いを変化させることができ、装飾性のおもしろさを高めることができる。
【発明を実施するための最良の形態】
【００１９】
〔第１実施形態〕
以下、本発明の第１実施形態を図面に基づいて説明する。なお、後述する第２実施形態以降においては、以下に説明する第１実施形態と同一部材または同一機能部材には同じ符号を付し、それらの部材の説明を簡略化または省略する。
【００２０】
図１は、本実施形態に係る時計としての電子時計１を示す断面図である。
図１において、電子時計１は、時刻表示用の表示部材としての文字板２の裏面側にソーラ発電部３を備え、かつ標準時刻情報が担持された電波を受信するアンテナ４をムーブメント１Ａ内部に備えたソーラ発電式の電波時計（時刻情報の受信により時刻修正を自動的に行える時計）で、特に腕時計である。
【００２１】
このような電子時計１のムーブメント１Ａは、裏蓋部５Ａを一体に有した金属製の外装ケース５内に収容されている。金属製の裏蓋部５Ａは、鍛造や削り出し等によって外装ケース５と一体に設けられる他、金属製の裏蓋部５Ａは外装ケース５と別体であってねじ止めやスナップ等で着脱自在に取り付けられていてもよい。金属材料としては、黄銅、ステンレススチール、チタンあるいはその合金、銀合金、金合金などが好適に用いられ、導電性を有しているか、もしくは導電性および磁性の両方を有していることが好ましい。外装ケース５の前記裏蓋部５Ａとは反対側には、透明なカバーガラス５１が嵌め込まれている。カバーガラス５１は透光性を有する風防カバーとして機能すればよく、その材料は非磁性で非導電性であれば、ガラスに限定されない。
【００２２】
また、ムーブメント１Ａにおいては、アンテナ４がソーラ発電部３の裏面に近接配置されている。アンテナ４は、磁性材からなる中心のアンテナコア４Ａと、その周囲に巻かれたコイル４Ｂとで構成されている。アンテナ４の配置について、アンテナコア４Ａの中心から文字板２の裏面までの距離ａの方が裏蓋部５Ａの内面までの距離ｂよりも小さい。つまり、アンテナ４は文字板２寄りに配置されているのであり、コイル４Ｂの表面がアンテナコア４Ａの中心から距離ｃの位置にあるソーラ発電部３の内面に近接している。この際、距離ａ，ｂ，ｃの関係は、ｃ＜ａ＜ｂとなる。アンテナ４と裏蓋部５Ａとの間には、指針６駆動用の輪列７が配置されている。輪列７等の構造は、通常の時計に用いられるものと同じであるため、図１には、輪列７としてこれを構成する歯車の一部のみを図示することとし、その全体の説明および図示を省略する。
【００２３】
図２は、文字板２の平面図、図３は、文字板２を拡大して示す断面図である。
図２、図３において、文字板２は、厚さ０．１〜０．５mmの例えば黄銅、アルミニウム、銀合金、チタン合金、ステンレス等の平面円形の金属板にて形成されている。このような文字板２には表裏を貫通する多数の貫通部１０が穿設されている。貫通部１０は、光を文字板２に対して透光させてソーラ発電部３に照射させるためのものであって、文字板２の略全域にわたって小孔状に穿設されており、その穿設位置は特に限定されないが、本実施形態では、径の異なる複数の同心円上に沿って位置している。
【００２４】
この他、文字板２の中央には、指針６が取り付けられる筒車８および筒かな９（共に図１）の端部挿通用の丸孔１１が設けられ、また、表面の所定位置には、目盛り１２が植設、接着、あるいは印刷等により設けられている。さらに、文字板２の表面は、研磨、スジメ、梨地などの機械仕上げによって処理され、その処理面に塗装が施され、さらにクリアラッカが塗布されている。クリアラッカの塗布により保護膜１３が形成されている。この保護膜１３は、貫通部１０の内部にまでは形成されていない。ただし、貫通部１０の側壁傾斜面１０Ａにも、文字板２の表面に施した研磨、スジメ、梨地などの機械仕上げ等の仕上げ処理が施され、その処理面に塗装がなされ、最上層にクリアラッカが塗布されていてもよい。
【００２５】
本実施形態での最も特徴的な貫通部１０について以下に詳説する。
貫通部１０は、図２、図３に示すように、その内側の側壁傾斜面１０Ａが文字板２の表裏方向に対して傾斜するように穿設されており、文字板２の表裏面上では丸孔として開口している。側壁傾斜面１０Ａの傾斜方向は、本実施形態では、文字板２の中心（本実施形態では指針６の回転中心と同じ）を基準として、裏面側から表面側に向かって放射状に拡開する方向に傾斜している。このような貫通部１０の穿設には、斜め方向からのレーザー光照射や、文字板２を傾斜させた状態で行われるプレス抜き、あるいは異方性エッチング可能な材質を採用した場合の斜めエッチング等が用いられる。
【００２６】
側壁傾斜面１０Ａの傾斜の度合いは、図３に傾斜方向に沿った断面を側面視して示すように、裏面側の開口部分と表面側の開口部分とのずれ寸法をＡ、開口部分の径寸法をＢとすると、ずれ寸法Ａは径寸法Ｂの１／２以上であることが望ましい。あるいは平面視において、文字板２に穿設された貫通部１０の表面側の開口部分から視認できる裏面側の開口部分の面積、つまり視認可能なソーラ発電部３の面積は（図２にて貫通部１０内の黒く塗りつぶされている部分）、表面側の開口部分の開口面積に対して５０％以下であることが望ましい。これらの値を超える場合には、金属を基調とした印象が損なわれる。
【００２７】
また、貫通部１０の傾斜角を図３に示す傾斜角度α，βで表した場合、傾斜角度α，βは、１５〜４５度、より好ましくは２０〜３０度である。なお、本実施形態のように、貫通部１０が一様な径寸法の貫通孔であるときは、傾斜角度α＝βとなる。
【００２８】
そして、貫通部１０の開口部分の径寸法は、５〜１００μmである。貫通部１０が単位面積中の全体にわたって穿設された状態での単位面積当たりの開口率は、５〜７０％であり、好ましくは２０〜６０％、より好ましくは３０〜５０％である。開口率が５％よりも小さいと、側壁傾斜面１０Ａの総面積が小さくなり、使用者が文字板２を見る角度の違いによる金属調の変化量が少なくなって、装飾性のおもしろさが現出し難くなる。また、光の透過が不十分となり易い。開口率が７０％を越えると、文字板２としての強度が不足する可能性がある。
【００２９】
さらに、文字板２全体の面積に対する貫通部１０の開口部分の面積比は、２０〜７０％である。面積比が２０％を下回るとやはり、側壁傾斜面１０Ａの総面積が小さくなり、使用者が文字板２を見る角度の違いによる金属調の変化量が少なくなって、装飾性のおもしろさが現出し難くなる。また、光の透過が不十分となり易い。面積比が７０％を越えると、文字板２としての強度が不足する可能性がある。
なお、貫通部１０の貫通方向は、側面視で貫通部１０の中心軸線の方向であって文字板２の表裏方向に対して傾斜している。また、貫通方向は貫通部１０の断面形状が真円でなく非円形の場合は、非円形形状の略重心位置と見なす箇所を通る軸線の方向である。中心軸線は、直線が好ましいが、略直線状であってもよい。貫通方向が略直線状であることにより、側壁傾斜面１０Ａの視認可能な面積の変化が少なく外観状態が安定し、光も透過し易くなる。
【００３０】
なお、ムーブメント１Ａ内にアンテナ４が配置されている場合では、文字板２の全領域のうちのアンテナ４に対向した領域では、他の領域に比して貫通部１０による開口率を大きくしたり、傾斜角度α，βを小さくしたり、ずれ寸法Ａと径寸法Ｂとの比（Ａ／Ｂ）を大きくしたり、あるいは貫通部１０の開口部分の径寸法Ｂを大きくしたりすることで、電波を通り易くしてもよい。また、アンテナ４に限らず、ソーラ発電部３やＥＬバックライト等の発光部が文字板２裏の一部の領域に対応して配置されている場合には、その領域での貫通部１０の穿設具合を他の領域と比較して異ならせ、他の領域よりも光をソーラ発電部３に照射し易くしたり、光を発光部から射出し易くしたりしてもよい。
【００３１】
以上の本実施形態によれば、以下の効果がある。
すなわち、電子時計１において、文字板２には表裏を貫通する多数の貫通部１０が穿設され、しかもその側壁傾斜面１０Ａが傾斜しているので、文字板２の見る方向を変えることにより、貫通部１０を通して金属調の変化のおもしろさを実感できる。
【００３２】
そして、貫通部１０は、文字板２の表裏方向に対して傾斜して穿設されているため、例えば文字板２を平面視した場合など、貫通部１０の開口部分内には当該貫通部１０の側壁傾斜面１０Ａの一部が見えることになり、文字板２裏のソーラ発電部３を見え難くできる。従って、文字板２としては、貫通部１０の傾斜角度α，βの大きさにもよるが、そのような傾斜した貫通部１０を穿設するといった簡単な構造でソーラ発電部３が見える部分の面積を少なくでき、その分金属面を多く見せることができて金属調を強調させることができ、電子時計１全体の装飾性を向上させることができる。
【００３３】
しかも、文字板２裏のソーラ発電部３に対しては、傾斜した貫通部１０の傾斜方向に沿って光が直接入り込むことで、光をソーラ発電部３に効率よく照射でき、光の利用効率を高めて発電効率を向上させることができる。さらに、貫通部１０は文字板２に貫通孔を設けるだけでよいため、加工が容易であり、加工に要する手間を大幅に削減できる。
【００３４】
この際、貫通部１０の開口部分内に見えるソーラ発電部３の面積の割合を、貫通部１０の開口部分の面積の５０％以下としたり、当該開口部分による単位面積当たりの開口率や、文字板２の表面積（通常視認できる表側面の面積）に対する開口率を最適に設定したりすることにより、金属調を確実に強調できるうえ、良好な光透過性を実現でき、かつ文字板２としての強度を確実に確保できる。
【００３５】
また、本実施形態の電子時計１は、ムーブメントにアンテナ４が搭載された電波時計であるが、このアンテナ４の配置に関しては、その中心から文字板２、裏蓋部５Ａ、ソーラ発電部３までの距離ａ，ｂ，ｃが、ｃ＜ａ＜ｂの関係にあることから、アンテナ４がソーラ発電部３の裏側に近接し、貫通部１０が多数穿設された文字板２側に寄せて配置されていることとなり、この貫通部１０を通して電波を良好に受信できる。このため、電子時計１の裏側を形成している裏蓋部５Ａを金属製の外装ケース５と一体に形成することで、電波を裏蓋部５Ａ側から受信し難い状態になっても、文字板２側から良好に受信でき、時刻修正を確実に行える。また、裏蓋部５Ａを金属製とすることで、文字板２だけではなく時計１全体を金属調が強調されたものにできる。
【００３６】
なお、以上の第１実施形態では、文字板２裏にソーラ発電部３を配置した例について説明したが、ソーラ発電部３の代わりにＥＬバックライトに代表される発光部を配置したり、文字板２裏の一部の領域にソーラ発電部３を配置し、他の領域の同じ高さ位置に発光部を配置したりしてもよい。発光部を配置することにより、暗闇等において文字板２上を照らすことができ、時刻を読み取ることが可能である。
【００３７】
〔第２実施形態〕
図４には、本発明の第２実施形態に係る断面図が示されている。
本実施形態の電子時計１では、金属製の外装ケース５とは別体の裏蓋５Ｂが用いられ、この裏蓋５Ｂに近接するようにしてアンテナ４が配置されている点が第１実施形態とは異なる。アンテナ４の配置について具体的には、アンテナコア４Ａの中心から裏蓋部５Ｂの内面までの距離ｅの方が文字板２の裏面までの距離ｄよりも小さい。また、アンテナコア４Ａの中心からの前記距離ｅよりも、アンテナコア４Ａの中心からソーラ発電部３の内面までの距離ｆの方が大きい。つまり、アンテナ４は裏蓋５Ｂ寄りに近接配置されているのであって、距離ｄ，ｅ，ｆの関係は、ｅ＜ｆ＜ｄとなり、距離ｅよりも大きく設定された距離ｆの間の空間を利用するようにして、輪列７を構成する歯車がソーラ発電部３とアンテナ４との間に位置している。他の構成は第１実施形態と同じである。
【００３８】
裏蓋５Ｂは、合成樹脂製あるいはガラス製等の非金属で非磁性材からなり、金属製の場合に比べて電波の遮蔽効果が少ない。従って、裏蓋５Ｂに近接配置されたアンテナ４により、この裏蓋５Ｂを通しても時刻修正用の電波を良好に受信することが可能である。また、アンテナ４は、裏蓋５Ｂ側から電波を受信できるので、文字板２の貫通部１０は、アンテナ４での受信性を考慮する必要がなく、装飾性や、ソーラ発電部３での発電性能、あるいはＥＬバックライトが配置されていればその放光性だけを考慮すればよく、デザインの自由度を広げることができる。
【００３９】
〔第３実施形態〕
図５には、本発明の第３実施形態に係る文字板２の断面図が示されている。
この文字板２に穿設された貫通部１０では、裏面側の開口部分と表面側の開口部分とのずれ寸法Ａが開口部分の径寸法Ｂと同じとされている。このため、文字板２を平面視した場合、開口部分内には側壁傾斜面１０Ａだけが視認され、文字板２裏に配置されたソーラ発電部は全く見えないことになるから、文字板２としては、その表面および貫通部１０の開口部内全てにおいて金属面を露呈させることができ、金属調を一層強調できる。
【００４０】
〔第４実施形態〕
図６には、本発明の第４実施形態に係る文字板２の断面図が示されている。
この文字板２に穿設された貫通部１０では、ずれ寸法Ａが開口部分の径寸法Ｂよりも大きい。従って、文字板２を平面視した場合に限らず、多少傾斜方向に沿うような方向から見た場合でも、文字板２裏のソーラ発電部が見えないことになり、金属調をより一層強調できる効果がある。
【００４１】
〔第５実施形態〕
図７に示す第５実施形態の文字板２では、貫通部１０の形状が前記第１〜４実施形態とは異なる。つまり、本実施形態での貫通部１０は、開口部分の形状が略台形形状であり、より具体的には、台形形状の平行な二辺に相当する部分が文字板２の周方向に沿って形成され、一対の斜辺に相当する部分が半径方向に沿って形成されている。貫通部１０の傾斜方向や傾斜角度は第１実施形態と同じである。
【００４２】
また、貫通部１０の開口部分の周方向の長さは任意であり、文字板２の中央に近づくほど短く（中央から離間するに従って長く）なったり、中央からの距離に関係なく一定であってもよい。中央に近づくほど短くなる本実施形態では、外周側に近づくほど貫通部１０が溝状となる。開口部分の径方向の大きさも同様に任意である。
【００４３】
〔第６実施形態〕
図８には第６実施形態の文字板２が示されている。この文字板２は、第１実施形態と同じ貫通部１０が穿設されている外周側の環状部２Ａと、環状部２Ａで囲まれた中央の円状部２Ｂとを備えている。環状部２Ａは金属製であり、円状部２Ｂは合成樹脂製またはガラス製からなり透光性を有している。このような文字板２では、金属調を呈する環状部２Ａおよび透光性を有した円状部２Ｂのコンビネーションにより、よりユニークな意匠を実現できるとともに、環状部２Ａへの照射による発電に加えて、円状部２Ｂにてより多量の光をソーラ発電部に照射でき、安定した発電が行える。
【００４４】
〔第７実施形態〕
図９には第７実施形態の文字板２が示されている。この文字板２の構成は、第６実施形態とは逆で、環状部２Ｃが透光性を有しており、円状部２Ｄが金属製とされて多数の貫通部１０を有している。このような文字板２でも、円状部２Ｄでの発電に加えて、環状部２Ｃでより効率よく発電でき、構成は異なるが第６実施形態と同様な効果が得られる。さらに、図示しないが、電波受信用のアンテナは通常、ムーブメントの外周に沿って配置されるため、外周側が合成樹脂製あるいはガラス製からなる環状部２Ｃとされた本実施形態の文字板２では、この環状部２Ｃを通して電波をより良好に受信できる。
【００４５】
〔第８実施形態〕
図１０に示す第８実施形態の文字板２は平面四角形とされ、外周側の環状部２Ｅと、中央側の四角状部２Ｆを備えている。環状部２Ｅおよび四角状部２Ｆは共に金属製であり、多数の貫通部１０を有している。ただし、環状部２Ｅと四角状部２Ｆとでは、貫通部１０の傾斜角度（第１実施形態での傾斜角度α，β、あるいはずれ寸法Ａ）が異なっている。すなわち、四角状部２Ｆでの貫通部１０の傾斜角度の方が環状部２Ｅでの貫通部１０の傾斜角度よりも大きく、環状部２Ｅでは文字板２を平面視すると、貫通部１０を通して僅かにソーラ発電部３が見えるが、四角状部２Ｆではソーラ発電部３が殆ど見えない。このような文字板２でも、傾斜角度の異なる貫通部１０を有した環状部２Ｅと四角状部２Ｆとのコンビネーションにより、ユニークなデザインを実現でき、装飾性を向上させることができる。
【００４６】
〔第９実施形態〕
図１１には、本発明の第９実施形態として、デジタル表示式の電子時計で用いられる表示部材２０が示されている。この表示部材２０は、貫通部１０を有する金属製の環状部２０Ｅと、ガラス製の透明な四角状部２０Ｆとを備えている。環状部２０Ｅの裏面側には、ソーラ発電部あるいはＥＬバックライトが配置され、四角状部２０Ｆの裏面側には、液晶表示装置２１が配置されている。ソーラ発電部が配置されている場合には、環状部２０Ｅの貫通部１０を通して照射された光により、電子時計駆動用の電気エネルギが発電されるし、ＥＬバックライトが配置された場合には、貫通部１０を通して射出される光により、四角状部２０Ｆの周囲を明るくでき、暗闇においても液晶表示装置２１による表示を見易くできる。
【００４７】
〔第１０実施形態〕
図１２に示す文字板２では、全ての貫通部１０が一様に、裏面から表面に向かうに従って６時側から１２時側に傾くように傾斜している。時計を腕に装着し、時刻を確認しようとすると、多くの場合、装着者の目からは６時側が手前となり、１２時側が奥側となるから、文字板２を平面視するのではなく、僅かに傾いた状態で視認することになる。このため、貫通部１０の傾斜が図１２のように傾斜していると、貫通部１０の開口部内にあっては、貫通部１０の傾斜した側壁傾斜面１０Ａを目視することになり、金属面を見え易くでき、金属調を強調できる。
【００４８】
〔第１１実施形態〕
図１３に示す文字板２では、全ての貫通部１０が一様に、裏面から表面に向かうに従って９時側から３時側に傾くように傾斜している。時計を装着した場合には、９時側の略半分が袖口内に隠れてしまい、３時側の半分が外部に露呈することが多いため、光は３時側に当たり易くなる。従って、貫通部１０を３時側に向けて開口するように傾斜させた本実施形態では、外光等を３時側からより採り入れ易くでき、採光効率を向上させてソーラ発電部で発電を良好に行うことが可能である。
【００４９】
〔第１２実施形態〕
図１４に示す文字板２では、文字板２の３時側の略半分の領域で第１１実施形態と同様に傾斜しているが、９時側の略半分の領域では逆に、裏面から表面に向かうに従って３時側から９時側に傾くように傾斜している。このような文字板では、時計を左腕に装着した場合に第１１実施形態と同様な効果を得ることができるうえ、右腕に装着した場合のように３時側が袖口内に隠れ、９時側が露呈する場合でも、外光等を９時側から効率よく採光でき、やはり同様な効果を得ることができる。
【００５０】
〔第１３実施形態〕
図１５に示す文字板２は、裏面側から順に、透光性を有した合成樹脂製（ポリカーボネート、アクリル樹脂等）あるいはガラス製のベース部材２２と、ベース部材２２上に形成された金属薄膜２３と、金属薄膜２３上の保護膜１３とで構成されている。このうちの金属薄膜２３は、ベース部材２２上に無電解メッキや乾式メッキを施したり、電鋳等で製造された薄膜の金属シートを貼設することで形成することが可能である。金属薄膜２３の材料としては、金合金、銀合金、アルミニューム合金、チタン合金、ニッケル、銅等である。このような金属薄膜２３には、傾斜した貫通部１０が多数穿設されている。本実施形態によれば、金属薄膜２３が極薄いので、時刻修正用の電波の受信感度を上げることができ、受信性能を向上させることができる。
【００５１】
〔第１４実施形態〕
図１６に示す文字板２では、クリアラッカ等からなる保護膜１３が貫通部１０の内部まで形成されている。文字板２の表裏面および貫通部１０の側壁傾斜面１０Ａは表面処理が施されて所定の粗度に仕上げられており、この面上に保護膜１３が形成されているのである。このように、文字板２の表面だけではなく、裏面や側壁傾斜面１０Ａにまで保護膜１３を形成することで、耐候性を格段に向上させることができる。
【００５２】
〔第１５実施形態〕
図１７に示す文字板２においては、透光性を有した合成樹脂製あるいはガラス製のベース部材２２に多数の貫通部１０が穿設され、貫通部１０内の側壁傾斜面１０Ａを含むベース部材２２の表裏面全域に金属薄膜２３が形成されている。貫通部１０の穿設方法としては、型成形やレーザ加工等を採用できる。金属薄膜２３の形成方法および材料は前述した第１３実施形態と同様である。なお、図示しないが、このような金属薄膜２３上に装飾膜やクリアラッカを塗布しても勿論よい。
本実施形態では、ベース部材２２として非金属を用い、金属調を現出させるための金属層も金属薄膜２３で形成されているので、電波の通りが良好であり、やはり電波時計等に好適である。
【００５３】
〔第１６実施形態〕
図１８に示す文字板２においては、傾斜方向に沿った側面視での貫通部１０の傾斜角度αが傾斜角度βよりも小さい。このような形状の貫通部１０では、表面側の開口面積が裏面側の開口面積よりも大きくなっている。
本実施形態では、文字板２裏に発光部を配置した場合など、表面側に向けて光を拡散でき、広い範囲に射出できる。また、文字板２の表面側にて光を多く採り入れ、裏面側で集光できるので、裏面側の各開口部分の対向部分にソーラ発電部を設けることで、発電性能を向上させることができる。
【００５４】
〔第１７実施形態〕
図１９に示す文字板２においては逆に、貫通部１０の傾斜角度αが傾斜角度βよりも大きい。このような形状の貫通部１０では、表面側の開口面積が裏面側の開口面積よりも小さくなっている。
本実施形態では、文字板２裏に発光部を配置した場合など、裏面側からの光をより明るい光束として射出でき、文字板２の一部を局部的に明くるしたい場合に有効である。
【００５５】
〔第１８実施形態〕
図２０に示す文字板２の貫通部１０では、中央側での内部空間が狭まるように縮径しており、断面した側面視において湾曲した曲線が現れるように形成されている。このような形状でも、裏面側のソーラ発電部や発光部を見え難くできる。なお、図示を省略するが、中央側での内部空間が広がるように拡径した形状であってもよい。
【００５６】
〔第１９実施形態〕
図２１に示す文字板２では、貫通部１０が一様に、裏面側から表面側に向かうに従って、略４時側から１０時側に向けて傾斜している。図示しないが、裏面側から表面側に向かうに従って、略１０時側から４時側に向けて傾斜させることも可能である。
【００５７】
〔第２０実施形態〕
図２２に示す文字板２では、貫通部１０の傾斜方向は第１９実施形態と同じであるが、孔形状が異なっている。すなわち、本実施形態の貫通部１０は、表裏面側での開口部分の形状が四角形となるよな角孔である。また、これに限らず、貫通部１０は、開口部分の形状が三角形であったり、また、楕円等であってもよく、任意である。
【００５８】
〔第２１実施形態〕
図２３に示す文字板２では、貫通部１０の傾斜方向は第１実施形態（図２）と同じであるが、中央に向かうに従って貫通部１０内で視認されるソーラ発電部３等の面積が多くなるように傾斜方向を異ならせている。つまり、貫通部１０の傾斜角度を径方向で徐々に異ならせているのである。
【００５９】
〔第２２実施形態〕
図２４に示す文字板２では、中央側とその外周側とでは傾斜角度が異なる。前記第２０実施形態では、傾斜角度を徐々に異ならせていたが、本実施形態では、２通りの傾斜角度を採用しているのである。このため、中央側側では、ソーラ発電部３を視認できるが、外周側では殆ど視認することができない。
【００６０】
なお、本発明は前述の実施形態に限定されるものではなく、本発明の目的を達成できる範囲での変形、改良等は本発明に含まれるものである。
例えば、文字板のような表示部材裏にソーラ発電部を配置するか、あるいは発光部を配置するかは任意であり、その電子時計の仕様に応じて決められればよい。また、本発明において、時刻修正用の電波を受信するアンテナを具備するか否かは任意であり、時刻修正を手動で行うようなアンテナを備えていない通常の電子時計にも本発明を適用できる。
また、本発明の表示部材は、時計の時刻表示用表示部材ならば、どのような時計のタイプにも適用できるものである。
【産業上の利用可能性】
【００６１】
本発明は、例えばソーラ発電時計、電波時計、ソーラ発電装置付き電波時計、バックライト付き電子時計といった各種電子時計や、ゼンマイにより指針が回転駆動される機械式時計の表示部材に利用できる。
また、本発明の時計は、腕時計、置き時計、柱時計等、どのような時計であってもよい。さらに本発明の表示部材は、指針式時刻表示時計や電子光学的時刻表示時計において、時刻表示部に用いられる表示部材ならばどのようなタイプであってもよい。
【図面の簡単な説明】
【００６２】
【図１】本発明の第１実施形態に係る電子時計を示す断面図。
【図２】第１実施形態の表示板を示す平面図。
【図３】第１実施形態の表示板を示す断面図。
【図４】本発明の第２実施形態に係る電子時計を示す断面図。
【図５】本発明の第３実施形態を示す断面図。
【図６】本発明の第４実施形態を示す断面図。
【図７】本発明の第５実施形態を示す断面図。
【図８】本発明の第６実施形態を示す断面図。
【図９】本発明の第７実施形態を示す断面図。
【図１０】本発明の第８実施形態を示す断面図。
【図１１】本発明の第９実施形態を示す断面図。
【図１２】本発明の第１０実施形態を示す断面図。
【図１３】本発明の第１１実施形態を示す断面図。
【図１４】本発明の第１２実施形態を示す断面図。
【図１５】本発明の第１３実施形態を示す断面図。
【図１６】本発明の第１４実施形態を示す断面図。
【図１７】本発明の第１５実施形態を示す断面図。
【図１８】本発明の第１６実施形態を示す断面図。
【図１９】本発明の第１７実施形態を示す断面図。
【図２０】本発明の第１８実施形態を示す断面図。
【図２１】本発明の第１９実施形態を示す断面図。
【図２２】本発明の第２０実施形態を示す断面図。
【図２３】本発明の第２１実施形態を示す断面図。
【図２４】本発明の第２２実施形態を示す断面図。
【符号の説明】
【００６３】
１…電子時計、２…表示部材である文字板、３…裏面側に配置された部材であるソーラ発電部、４…アンテナ、５…外装ケース、５Ａ…裏蓋部分である裏蓋部、５Ｂ…裏蓋部分である裏蓋、１０…貫通部、１０Ａ…側壁傾斜面、２０…表示部材、２２…ベース部材、２３…金属薄膜。
【図１】
2007170825.tif 000003
【図２】
2007170825.tif 000004
【図３】
2007170825.tif 000005
【図４】
2007170825.tif 000006
【図５】
2007170825.tif 000007
【図６】
2007170825.tif 000008
【図７】
2007170825.tif 000009
【図８】
2007170825.tif 000010
【図９】
2007170825.tif 000011
【図１０】
2007170825.tif 000012
【図１１】
2007170825.tif 000013
【図１２】
2007170825.tif 000014
【図１３】
2007170825.tif 000015
【図１４】
2007170825.tif 000016
【図１５】
2007170825.tif 000017
【図１６】
2007170825.tif 000018
【図１７】
2007170825.tif 000019
【図１８】
2007170825.tif 000020
【図１９】
2007170825.tif 000021
【図２０】
2007170825.tif 000022
【図２１】
2007170825.tif 000023
【図２２】
2007170825.tif 000024
【図２３】
2007170825.tif 000025
【図２４】
2007170825.tif 000026